(57)【要約】      （修正有）【課題】開発コストを更に削減可能な商品の検品システム等を提供する。【解決手段】画面表示情報等のリソースデータを配信するサーバ装置と、サーバ装置とＨＴＴＰによって通信を行う複数のハンディ端末２とを備え、各ハンディ端末２は、テキスト及び画像を表示するディスプレイ部２５と、送信する情報を入力する入力部２６と、ハンディ端末２に特化したウェブブラウザを備え、このウェブブラウザは、サーバ装置との間でデータ通信を行うＨＴＴＰユーザエージェント部２１と、リソースデータを解析するパーサ部２２と、解析結果に基づき表示するレンダラ部２３と、入力情報とリソースデータを記憶するデータ記憶部２４とを設け、サーバ装置は、データ通信を行うウェブサーバ部と、特定のハンディ端末２に応じたＸＭＬ情報に変換するコンバータ部と、ＸＭＬ情報をＸＭＬ文書としてＪａｖａ（登録商標）プログラムを実行するアプリケーション部とを設ける。【選択図】図３
2013161172.tif 000002
【特許請求の範囲】
【請求項１】
画面表示情報を含む情報をリソースとして配信するサーバ装置と、インターネットを通じて前記サーバ装置との間でデータ通信可能な複数のハンディ端末とを備え、前記サーバ装置と前記ハンディ端末との間は共通のハイパーテキスト・トランスファー・プロトコル（ＨＴＴＰ）によって通信が行われるように構成されている商品検品システムであって、
前記各ハンディ端末には、テキスト及び画像を表示するディスプレイ部と、前記サーバ装置に送信する情報を入力する入力部とが設けられていると共に、予め規程されたハンディ端末に特化したウェブブラウザが備えられており、このウェブブラウザには、前記サーバ装置との間でデータ通信を行い、サーバ装置からのリソースを受信すると共に当該ハンディ端末における入力情報をサーバ装置に送信するＨＴＴＰユーザエージェント部と、前記リソースを少なくともハイパーテキスト・マークアップ・ランゲージ（ＨＴＭＬ）とテキスト情報と画像情報とに分類して解析するパーサ部と、このパーサ部の解析結果に基づき前記テキスト情報と画像情報を前記ディスプレイ部の所定の位置に配置して表示するレンダラ部と、前記入力部からの入力情報と前記サーバ装置からのリソースデータを記憶するデータ記憶部と、前記入力部からの情報に基づき、前記レンダラ部を介して前記ディスプレイ部への表示の制御及び前記HTTPサーバエージェント部を介して前記サーバ装置との間での情報の送受信の制御を行う制御部とが設けられている一方、
前記サーバ装置には、前記ウェブブラウザからのＨＴＴＰによるアクセス要求を含む入力情報を受信する処理と前記各ハンディ端末へのリソースを送信する処理とを分散処理するウェブサーバ部と、このウェブサーバ部からの情報に応じて特定のハンディ端末に応じたエクステンシブル・マークアップ・ランゲージ（ＸＭＬ）情報に変換するコンバータ部と、このコンバータ部との間で前記ＸＭＬ情報の内容をＸＭＬ文書として記述しジャバ（Ｊａｖａ（登録商標））プログラムを実行するアプリケーション部とが設けられていることを特徴とする在庫管理システム。
【請求項２】
インターネットを通じてサーバ装置と通信可能とされた各ハンディ端末のそれぞれにおいて実行される商品検品ソフトウエアであって、
前記サーバ装置から送信される共に、当該ハンディ端末に設けられたディスプレイ部に表示すべき画面表示情報を含むリソースをハイパーテキスト・トランスファー・プロトコル（ＨＴＴＰ）に従って受け入れる手順と、この手順によって受信されたリソースを少なくともハイパーテキスト・マークアップ・ランゲージ（ＨＴＭＬ）とテキスト情報と画像情報とに分類する手順と、前記テキスト情報と画像情報を前記ディスプレイ部の所定の位置に配置して表示する手順と、当該ハンディ端末に設けられた入力部から入力された入力情報を前記サーバ装置に対して送信する手順とを実行させることを特徴とする在庫管理ソフトウエア。
【請求項３】
インターネットを通じてハイパーテキスト・トランスファー・プロトコル（ＨＴＴＰ）によってサーバ装置との通信が可能となるように構成されており、テキスト及び画像を表示するディスプレイ部と、前記サーバ装置に送信する情報を入力するバーコードリーダを含む入力部とが設けられていると共に、当該ハンディ端末に特化したウェブブラウザが備えられており、このウェブブラウザには、前記サーバ装置との間でデータ通信を行い、サーバ装置からのリソースを受信すると共に当該ハンディ端末における入力情報をサーバ装置に送信するＨＴＴＰユーザエージェント部と、前記リソースを少なくともハイパーテキスト・マークアップ・ランゲージ（ＨＴＭＬ）とテキスト情報と画像情報とに分類して解析するパーサ部と、このパーサ部の解析結果に基づき前記テキスト情報と画像情報を前記ディスプレイ部の所定の位置に配置して表示するレンダラ部と、前記入力部からの入力情報と前記サーバ装置からのリソースデータを記憶するデータ記憶部と、前記入力部からの情報に基づき、前記レンダラ部を介して前記ディスプレイ部への表示の制御及び前記HTTPサーバエージェント部を介して前記サーバ装置との間での情報の送受信の制御を行う制御部が設けられていることを特徴とする商品検品用ハンディ端末。
【発明の詳細な説明】
【技術分野】
【０００１】
本発明は、商品の検品システムに関し、特にスーパーマーケットや、コンビニエントストア、卸業などの流通業における商品の検品システムに好適なものに関する。
【背景技術】
【０００２】
スーパーマーケットやコンビニエンスストア、卸業などの流通業においては、商品の検品を行うために、個々の商品に付されたバーコードを読み取り可能なバーコードリーダを備えたハンディ端末が使用されている。このハンディ端末から読み込まれたバーコードデータや、商品の数量に関するデータは、個々の店舗で管理されるのみならず、インターネットなどの通信網を利用して、別の場所にある在庫管理データベースに送信され、複数の店舗の商品管理を一括して行うシステムが発達してきている。
このような商品検品システムについては、ハンディ端末に含まれるコンピュータ（プロセッサ、メモリ容量など）が貧弱であるため、汎用のオペレーティングシステムが搭載されていない。このため、読み取ったバーコードを集計するなどの処理を行わせるソフトウエアは、それぞれのハンディ端末ごとに個別に開発しなければならなかった。
また、新しいハンディ端末を導入しようとする場合には、そのハンディ端末に応じてソフトウエアを新たに開発しなければならず、コストがかかるという問題があった。
この問題を解決するための技術が開発されている（特許文献１）。特許文献１には、機種によらない開発環境を提供でき、開発コストを削減できるソフトウエア実行システムが開示されている。
【先行技術文献】
【特許文献】
【０００３】
【特許文献１】特許第４７０７３０２号
【発明の開示】
【発明が解決しようとする課題】
【０００４】
特許文献１に開示された技術では、携帯電話を含む多くのハンディ端末の使用を可能とするために、予め各ハンディ端末に対応したインタープリタ及びインターフェースを開発しておき、このインタープリタとインターフェースを利用するという方法を採用している。このため、初期には（或いは、新たなハンディ端末機種が開発、販売される毎に）相当数のインタープリタとインターフェイスを開発する必要があった。
【課題を解決するための手段】
【０００５】
しかしながら、バーコードリーダを備えたハンディ端末を用いて、商品の在庫管理を行う場合に用途を限定すれば、それほど多種類の機種が使用されるわけではない。このため、予め使用可能な機種を限定したうえで、商品検品を行うシステムを提供することにより、相当多数のインタープリタとインターフェイスを開発する必要が省かれることになる。
本発明は、上記した課題に鑑みてなされたものであり、その目的は、開発コストを更に削減可能な商品の検品システム等を提供することである。
【０００６】
こうして、本発明に係る商品検品システムは、画面表示情報を含む情報をリソースとして配信するサーバ装置と、インターネットを通じて前記サーバ装置との間でデータ通信可能な複数のハンディ端末とを備え、前記サーバ装置と前記ハンディ端末との間は共通のハイパーテキスト・トランスファー・プロトコル（ＨＴＴＰ）によって通信が行われるように構成されているものであって、前記各ハンディ端末には、テキスト及び画像を表示するディスプレイ部と、前記サーバ装置に送信する情報を入力する入力部とが設けられていると共に、予め規程されたハンディ端末に特化したウェブブラウザが備えられており、このウェブブラウザには、前記サーバ装置との間でデータ通信を行い、サーバ装置からのリソースを受信すると共に当該ハンディ端末における入力情報をサーバ装置に送信するＨＴＴＰユーザエージェント部と、前記リソースを少なくともハイパーテキスト・マークアップ・ランゲージ（ＨＴＭＬ）とテキスト情報と画像情報とに分類して解析するパーサ部と、このパーサ部の解析結果に基づき前記テキスト情報と画像情報を前記ディスプレイ部の所定の位置に配置して表示するレンダラ部と、前記入力部からの入力情報と前記サーバ装置からのリソースデータを記憶するデータ記憶部と、前記入力部からの情報に基づき、前記レンダラ部を介して前記ディスプレイ部への表示の制御及び前記HTTPサーバエージェント部を介して前記サーバ装置との間での情報の送信の制御を行う制御部が設けられている一方、前記サーバ装置には、前記ウェブブラウザからのＨＴＴＰによるアクセス要求を含む入力情報を受信する処理と前記各ハンディ端末へのリソースを送信する処理とを分散処理するウェブサーバ部と、このウェブサーバ部からの情報に応じて特定のハンディ端末に応じたエクステンシブル・マークアップ・ランゲージ（ＸＭＬ）情報に変換するコンバータ部と、このコンバータ部との間で前記ＸＭＬ情報の内容をＸＭＬ文書として記述しジャバ（Ｊａｖａ（登録商標））プログラムを実行するアプリケーション部とが設けられていることを特徴とする。
【０００７】
また、商品検品ソフトウエアは、インターネットを通じてサーバ装置と通信可能とされた各ハンディ端末のそれぞれにおいて実行されるものであって、前記サーバ装置から送信される共に、当該ハンディ端末に設けられたディスプレイ部に表示すべき画面表示情報を含むリソースをハイパーテキスト・トランスファー・プロトコル（ＨＴＴＰ）に従って受け入れる手順と、この手順によって受信されたリソースを少なくともハイパーテキスト・マークアップ・ランゲージ（ＨＴＭＬ）とテキスト情報と画像情報とに分類する手順と、前記テキスト情報と画像情報を前記ディスプレイ部の所定の位置に配置して表示する手順と、当該ハンディ端末に設けられた入力部から入力された入力情報を前記サーバ装置に対して送信する手順とを実行させることを特徴とする。
【０００８】
また、商品検品用ハンディ端末は、インターネットを通じてハイパーテキスト・トランスファー・プロトコル（ＨＴＴＰ）によってサーバ装置との通信が可能となるように構成されており、テキスト及び画像を表示するディスプレイ部と、前記サーバ装置に送信する情報を入力するバーコードリーダを含む入力部とが設けられていると共に、当該ハンディ端末に特化したウェブブラウザが備えられており、このウェブブラウザには、前記サーバ装置との間でデータ通信を行い、サーバ装置からのリソースを受信すると共に当該ハンディ端末における入力情報をサーバ装置に送信するＨＴＴＰユーザエージェント部と、前記リソースを少なくともハイパーテキスト・マークアップ・ランゲージ（ＨＴＭＬ）とテキスト情報と画像情報とに分類して解析するパーサ部と、このパーサ部の解析結果に基づき前記テキスト情報と画像情報を前記ディスプレイ部の所定の位置に配置して表示するレンダラ部と、前記入力部からの入力情報と前記サーバ装置からのリソースデータを記憶するデータ記憶部と、前記入力部からの情報に基づき、前記レンダラ部を介して前記ディスプレイ部への表示の制御及び前記HTTPサーバエージェント部を介して前記サーバ装置との間での情報の送信・受信の制御を行う制御部とが設けられていることを特徴とする。
【０００９】
画面表示情報とは、ディスプレイ部に表示されるテキスト情報（テキストの内容、色、大きさに関する情報）、画像情報（画像の内容、大きさに関する情報）、ボタン情報（ボタンの位置、ボタンチェック時の情報）、テキスト情報・画像情報・ボタン情報のディスプレイ部における配置情報などを含んでいる。また、リソースとは、画面表示情報を含み、更に付加的な情報（例えば、音声に関する情報（音声の内容、発声タイミングに関する情報を含む）を含み得る。
ハンディ端末は、一つのサーバ装置について、複数のものがインターネットを通じてデータ通信可能とされている。また、ハンディ端末には、そのハンディ端末に応じて開発されたウェブブラウザを備えている。このウェブサーバは、ＨＴＴＰによって通信可能とされているため、その他のプロトコールしか使用できないハンディ端末は、本発明には使用できない。
入力部は、キーボード、テンキー、バーコードリーダなどを示す。本発明においては、バーコードリーダを備えていることが好ましい。そのようにすれば、予め設定されたバーコードを使用して、簡単に商品情報を入力できるからである。
【発明の効果】
【００１０】
本発明によれば、サーバ装置とハンディ端末とは、インターネットを介して、共通のＨＴＴＰにより情報の送受信を行える。このため、従来技術のように、全てのハンディ端末に対応したインタープリタ及びインターフェースを開発しておき、このインタープリタとインターフェースを利用するという方法を採用する場合に比べると、予めハンディ端末として、ＨＴＴＰを使用可能な機種に限定しておくことにより、開発コストを更に削減可能な商品の検品システム等を提供できる。
【図面の簡単な説明】
【００１１】
【図１】本実施形態に係る商品検品システムの概要を示す図である。
【図２】サーバ装置の構成を示すブロック図である。
【図３】ハンディ端末の構成を示すブロック図である。
【図４】画面表示情報の例を示す説明図である。（Ａ）サーバ装置側のＸＭＬ文書を示し、（Ｂ）ハンディ端末のディスプレイ部に表示されるイメージを示す。
【発明を実施するための形態】
【００１２】
次に、本発明の実施形態について、図表を参照しつつ説明するが、本発明の技術的範囲は、これらの実施形態によって限定されるものではなく、発明の要旨を変更することなく様々な形態で実施することができる。また、本発明の技術的範囲は、均等の範囲にまで及ぶ。
本実施形態の商品検品システムは、図１に示すように、サーバ装置１と、このサーバ装置１に対してインターネットを通じてデータ通信可能な複数のハンディ端末２とを含んでいる。サーバ装置１とハンディ端末２との間は、共通のＨＴＴＰを用いて通信が行われる。
【００１３】
＜サーバ装置＞
サーバ装置１は、ＣＰＵ、記憶部（メモリ、ＨＤＤ、ＳＳＤ、ＤＶＤ、ＣＤなど）、ネット接続部、ディスプレイを備えた一般的なコンピュータを使用可能なウェブサーバであり、予めインストールされたプログラムに従って動作する。サーバ装置１には、ＨＴＭＬやＸＭＬなどのユーザに表示されるインタフェースの外観を規定する情報（画面表示情報；リソース）が保存されている。サーバ装置１は、ＨＴＴＰによる要求を受けて、その要求による画面表示情報を要求元であるハンディ端末２に対して配信する。画面表示情報は、テキスト（文字列）、入力欄、ボタンなどの画面要素の個数・位置・大きさをそれぞれ規定している。このような画面要素のうち、ハンディ端末２を有するユーザが行う指示操作を受け付けるもの（ボタン、入力欄、ボタンなど）を操作要素という。サーバ装置１が提供する画面表示情報は、ハンディ端末２から見たときのアプリケーションのユーザインタフェースを規定している。
【００１４】
サーバ装置１のプログラムの内容を図２に示す機能ブロック図を参照しつつ説明する。サーバ装置１には、ウェブ（Ｗｅｂ）サーバ部１１と、コンバータ部１２と、アプリケーション部１３が含まれている。ウェブサーバ部１１は、ハンディ端末２へのリソースを送信する処理と、ハンディ端末２のウェブブラウザからのＨＴＴＰによるアクセス要求を含む入力情報を受信する処理とを分散処理する。コンバータ部１２は、ウェブサーバ部１１からの情報に応じて、特定のハンディ端末２に応じたＸＭＬ情報に変換処理する。アプリケーション部１３は、コンバータ部１２との間でＸＭＬ情報の内容をＸＭＬ文書として記述し、予め設定された適当なプログラムを実行することにより、各ソフトウエアに固有の処理（ビジネスロジック）、データベースの検索・加工処理などを実施する。なお、ビジネスブロックは、プログラム言語の一つであるジャバ（Ｊａｖａ（登録商標））を用いて記述されている。
【００１５】
＜ハンディ端末＞
ハンディ端末２については、市販の全ての機種が使用可能とされている訳ではなく、本願のウェブブラウザの仕様を使える機能を備えた特定の機種のみが使用可能とされている。商品検品システムにおいては、一台のサーバ装置１に対し、インターネットを介して、複数のハンディ端末２が接続可能とされている。図３に示すように、ハンディ端末２には、ＨＴＴＰユーザエージェント部２１と、パーサ（parser）部２２と、レンダラ（renderer）部２３と、制御部２７と、データ記憶部２４と、ディスプレイ部２５と、入力部２６が備えられている。ＨＴＴＰユーザエージェント部２１は、インターネットを介してサーバ装置１との間でデータ通信を行い、サーバ装置１からのリソースを受信すると共に、ハンディ端末２の入力部２６から入力されて、データ記憶部２４に記憶されている入力情報をＨＴＴＰプロトコールによってサーバ装置１に送信する。パーサ部２２は、ＨＴＴＰユーザエージェント部２１によって受信されたリソースを少なくともＨＴＭＬとテキスト情報と画像情報とに分類して解析する（なお、リソースに音声情報が付随していた場合には、その情報もパーサ部２２によって、分類して解析される）。レンダラ部２３は、パーサ部２２の解析結果に基づき、テキスト情報と画像情報をディスプレイ部２５の所定の位置に所定の大きさで配置して表示する。
【００１６】
ディスプレイ部２５は、レンダラ部２３から入力される指示に従って情報を表示する表示部であり、例えば液晶ディスプレイを使用できる。
入力部２６は、バーコードリーダとキーパッドとから構成されており、ハンディ端末２のユーザの操作に応じて入力された情報を入力情報とする。この入力情報は、制御部２７を介して、データ記憶部２４に一時的に記憶される。なお、入力部２６のキーパッドとしては、マルチタッチスクリーンのディスプレイ部２５と兼用することもできる。データ記憶部２４は、ＲＡＭやフラッシュメモリなどで構成されており、入力部２６からの入力情報と、サーバ装置１からのリソースデータを一時的に記憶する。なお、本実施形態のハンディ端末２では、ウェブブラウザはＨＴＴＰによって制御されるので、予め設定されたプログラムなどを記憶させておく必要はない。制御部２７は、後述のように、入力部２６から入力された情報に基づき、レンダラ部２３に対してディスプレイ部２５の表示制御、及びHTTPユーザエージェント部２１を介してサーバ装置１への情報の送受信などの制御を行う。
【００１７】
＜商品検品システムの動作＞
次に、本実施形態の商品検品システムの動作について説明する。サーバ装置１には、予め所定のアプリケーションプログラムをインストールしておく。アプリケーションプログラムは、ＨＴＴＰによって入出力用の情報を配信可能な状態で記述されている。具体的には、アプリケーションプログラムは、主としてＪａｖａ（登録商標）によって記述される。
以下には、商品検品用アプリケーションプログラムを記述した場合について説明する。ここではバーコードによって入力される商品の品番情報と、キーパットによって入力される商品の数量情報とを受け付けて、アプリケーションプログラム側で各商品の数量を集計するという例を考える。
【００１８】
サーバ装置１にインストールされるアプリケーションプログラムには、商品の品番に関する「入力欄」、商品の数量に関する「入力欄」、「入力」ボタン、及び「集計」ボタンを配したインタフェースを規定するＸＭＬ文書と、「入力」ボタンの押圧操作に応答して情報を受け入れるＪａｖａ（登録商標）プログラムと、「集計」ボタンの押圧操作に応答して情報の集計を行うＪａｖａ（登録商標）プログラムとが含まれる。
図４（Ａ）に示すように、このＸＭＬ文書には、品番の入力欄の規定と、数量の入力欄の規定が含まれる。なお、図示の都合上、図４（Ａ）では、文書の一部を省略している（省略箇所は「…」とした）。この記述のうち、品番の入力欄は、バーコード入力が可能（barcode="yes"）とされており、数量の入力欄は、バーコード入力が不可（barcode="no"）とされている。また、数値の制限として、１０〜５０までの数値が入力されるべきであるとの指定がなされている。
【００１９】
ハンディ端末２には、サーバ装置１のＵＲＬが予め指定されており、起動操作が行われたときに、指定されたＵＲＬに対してリソースを取得する要求が、ＨＴＴＰを用いて送信される。
この要求がサーバ装置１に対して送信されて、ウェブサーバ部１１が受信すると、コンバータ部１２によって、該当するＸＭＬ文書がハンディ端末２用フォームに変換された上で、必要な情報がリソースとしてまとめられて、ＨＴＴＰを用いてハンディ端末２に配信される。ハンディ端末２のＨＴＴＰユーザエージェント部２１が、このリソースを受信すると、パーサ部２２によって、ＨＴＭＬとテキスト情報と画像情報とに分類して解析された上で、レンダラ部２３を通じて、ディスプレイ部２５に図４（Ｂ）に示す表示がなされる（なお、説明の都合上、例示したＸＭＬ文書には画像情報が含まれていないが、当業者であれば、画像情報を組み合わせて、ＨＴＴＰによって送受信することは容易に行える）。
この表示のうちには、入力欄（品番、数量）が表示され、ユーザの操作を受け入れるべき指示が含まれている。また、各入力欄での操作に関する操作条件が指定されている。具体的には、品番の入力欄には、バーコード入力が可能である旨の操作条件が指定されており、数量の入力欄には、１０〜５０の数値をキーパットによって入力すべき旨が指定されている。こうして、ディスプレイ部２５上のｘ＝５、ｙ＝１０で特定される位置には、品番の入力欄が、ｘ＝５、ｙ＝１５で特定される位置には、数量の入力欄がそれぞれ表示される。
【００２０】
ハンディ端末２の制御部２７は、まず品番の入力欄にカーソルを移動して待機する。ユーザがハンディ端末２の入力部２６に設けられたバーコードリーダを操作して、商品に関するバーコードを読みとると、そのバーコードリーダで読みとった情報が制御部２７に出力される。制御部２７は、その情報をデータ記憶部２４に格納すると共に、その番号を品番の入力欄に表示するようレンダラ部２３を介して、ディスプレイ部２５を制御した後に、数量の入力欄にカーソルを移動する。
次いで、ユーザは、入力部２６に設けられたキーパッドを用いて、数量の欄に１０〜５０までの間の適当な数値を入力する。ここで、ユーザが許容範囲外の数値（例えば、「１」、「１００」など）を入力しようとすると、制御部２７は指示に含まれる最大値（＝５０）及び最小値（＝１０）と、入力された値とを比較した上で、その数値が適当でないことから、「badhint」で示された文字列「数量が範囲を超えています。１０〜５０の範囲で入れ直してください。」をレンダラ部２３を介してディスプレイ部２５に表示する。
【００２１】
また、この入力欄に対応する指示として、「barcode="no"」（バーコード入力を禁止する指示）が設定されている。このため、たとえユーザが誤って、バーコードリーダを操作して入力しようとした場合には、その情報を受け付けずに、同じ指示上に「「barcode_badhint」で示された文字列「バーコード入力はできません」がディスプレイ部２５に表示される。
指示からみて正当な数値、例えば「３０」が入力されて、「入力」ボタンが操作されると、データ記憶部２４に記憶されたデータが、ＨＴＴＰサーバエージェント部２１を通じて、ＨＴＴＰを用いてインターネットを介して、サーバ装置１にハンディ端末２からの要求として送信される。サーバ装置１は、この要求に応答して、情報を受け入れるＪａｖａ（登録商標）プログラムを実行し、先に受信したパラメータリストに示された値をデータベース（図示せず）に格納する。
【００２２】
「集計」ボタンが操作された場合には、上記の「入力」ボタンが操作された場合と同様に、サーバ装置１が集計のためのＪａｖａ（登録商標）プログラムに基づき、図示しないデータベース内に格納された情報を利用して、例えば品番をキーとして数量を累算した結果を生成する。こうして生成された結果のデータは、サーバ装置１に保持しておき、後から表示・印刷してもよい。また、サーバ装置１が各Ｊａｖａ（登録商標）プログラムからの出力を、ハンディ端末２用に変換した上で、ＨＴＴＰを用いて、ハンディ端末２に配信してもよい。
このように、本実施形態によれば、サーバ装置１とハンディ端末２とは、インターネットを介して、共通のＨＴＴＰにより情報の送受信を行える。このため、従来技術のように、全てのハンディ端末に対応したインタープリタ及びインターフェースを開発しておき、このインタープリタとインターフェースを利用するという方法を採用する場合に比べると、予めハンディ端末２として、ＨＴＴＰを使用可能な機種に限定しておくことにより、開発コストを更に削減可能な商品の検品システム等を提供できる。
【符号の説明】
【００２３】
１…サーバ装置、２…ハンディ端末、１１…ウェブサーバ部、１２…コンバータ部、１３…アプリケーション部、２１…ＨＴＴＰユーザエージェント部、２２…パーサ部、２３…レンダラ部、２４…データ記憶部、２５…ディスプレイ部、２６…入力部、２７…制御部
【図２】
2013161172.tif 000003
【図３】
2013161172.tif 000004
【図４】
2013161172.tif 000005
【図１】
2013161172.tif 000006